(57)【要約】【課題】複数の塔婆を立設状に適格に保持しつつ回転させ、各塔婆の確認を容易にするだけでなく、今までにない墓地の趣と美観を付加した回転式塔婆立てを提供する。【解決手段】接地面に固定する台座２の上面に回転基台３を回転自在に載置し、回転基台の回転軸上に柱体６、塔婆保持体７を順番に積み上げるように配置する。塔婆保持体には柱体の外周側より水平に延出し、塔婆Ｔを立設状に保持する複数箇所の塔婆保持部８を配設する。なお、柱体、及び塔婆保持体はそれぞれ五輪塔の各構成要素の一部と同形態とする。また、塔婆保持部は、上下及び外周面側に開放した保持口８１として形成し、保持口内に配置した塔婆の下端部を受ける受け部３１を、回転基台の対応する位置に形成する。さらに、台座と回転基台との回転摺動面間に設定した回転角度毎に一旦停止するクリック機構５を配設する。【選択図】      図１
2005220640.tif 000002
【特許請求の範囲】
【請求項１】
接地面に固定配設する台座（２）と、
該台座（２）の上面に回転自在に載置した回転基台（３）と、
該回転基台（３）の回転軸上に配置固定した柱体（６）と、
該柱体（６）の回転軸上に配置され、かつ該柱体（６）の外周側より水平に延出させた外周側を有する塔婆保持体（７）と、
該塔婆保持体（７）の外周側の一箇所又は複数箇所に配設して塔婆（Ｔ）を立設状に保持する塔婆保持部（８）と、
からなることを特徴とする回転式塔婆立て。
【請求項２】
塔婆保持部（８）を、上下方向及び（又は）水平方向に開放した保持口（８１）とすると共に、該保持口（８１）内に配置した塔婆（Ｔ）の下端部を受ける受け部（３１）を回転基台（３）の対応する位置に形成してなることを特徴とする請求項１記載の回転式塔婆立て。
【請求項３】
保持口（８１）内に、塔婆（Ｔ）を着脱自在にして把持する把持機構を形成したことを特徴とする請求項１、又は２記載の回転式塔婆立て。
【請求項４】
台座（２）と回転基台（３）との回転において、その摺動面間にクリック機構（５）を配設したことを特徴とする請求項１、２又は３記載の回転式塔婆立て。
【請求項５】
柱体（６）、及び塔婆保持体（７）を、それぞれ五輪塔の各構成要素の一部と同形態としたことを特徴とする請求項１、２又は３記載の回転式塔婆立て。
【発明の詳細な説明】
【技術分野】
【０００１】
本願発明は、墓地、納骨堂に設置される塔婆を立設保持する塔婆立て又はこれの保持装置の分野に属し、特に、その塔婆の保持部を回転する構成とした回転式塔婆立ての分野に属する。
【背景技術】
【０００２】
墓地や納骨堂には、故人の四十九日や回忌法要の供養のために塔婆が供えられる。この塔婆とは、本来、宇宙の五大要素（空・風・火・水・地）を象徴して建立される五輪塔をシンボル的に簡略化した長尺状の木製板である。塔婆は、その頭部に、五大要素に象った円形や三角や矩形の刻みを形成して、表面には梵字や戒名や日付、などを記載している。
【０００３】
ところで、主に、回忌法要に供えられる塔婆は、回忌を重ねることによりその数量が増加して塔婆立てに大量に放置されたままの状態に置かれるのが現実であった。近年は塔婆の整理や管理を容易にする目的で、墓地には塔婆を立設状に保持する塔婆立てや塔婆保持装置が設置されていることが多くなっている。これらの塔婆立ては、通常は、図６に示すように、石造の基台や墓の外柵などに支持された支柱ｃを所定間隔で対向配設し、この支柱ｃの上部と下部にそれぞれ梯子状に構成した枠体ｆを架け渡して構成している。
【０００４】
また、上記の塔婆立てＳに保持された塔婆は梯子状の枠体ｆに隙間があるために、風により塔婆Ｔが揺れて枠体や塔簿同士で当たったり、擦れ合ったりして騒音を発生することがある。この騒音を防止するために、枠体ｆに保持した塔婆Ｔを一定方向に押圧する塔婆押圧部ｐを配設し、塔婆Ｔが揺れないようにしたる塔婆押え装置として出願されている（例えば、特許文献１参照。）。
【特許文献１】特開２００１−３６０３号公報（第２−３頁、第１図）
【発明の開示】
【発明が解決しようとする課題】
【０００５】
上述した従来型の塔婆立ては、墓地正面の側面外柵や石塔の裏面側に配置されており、これに塔婆をそのまま差し込んだ状態で置かれているのが一般的なものであった。このため、大量に供えた場合は互いに重なって確認しづらくなったり、また長年そのままの状態に置かれた場合には木材が乾枯して黒く変色し、墓地の趣や美観を損ねるものとなっていた。
【０００６】
また、墓の奥側に配置された塔婆の戒名等を読むためには、奥側に移動したり石塔を回り込んだりする必要があり、狭い墓地では不便なものであった。
【０００７】
さらに、従来の塔婆立ては幾何学的な枠体により構成されており、材質がステンレスである場合など先祖を供養する墓地においては無粋なものであった。
【０００８】
そこで、本願発明は、上記課題に着目し、複数の塔婆を立設状に適格に保持すると共に、その保持状態のまま回転させて各塔婆の確認を容易にすることにより、今までにない墓地の趣と美観を付加することを目的とした回転式塔婆立てを提供するものである。
【課題を解決するための手段】
【０００９】
上記の課題を解決するために、本願発明の回転式塔婆立ては、以下のように構成している。
【００１０】
すなわち、接地面に固定配設する台座（２）の上面に回転基台（３）を回転自在に載置し、該回転基台（３）の回転軸上に柱体（６）、その上位に塔婆保持体（７）の順番で積み上げるようにして配置し、かつ固定したことを特徴とする石材構造物である。塔婆保持体（７）には、柱体（６）の外周側より水平に延出した外周側を形成し、その外周側の一箇所又は複数箇所に塔婆（Ｔ）を立設状に保持する、例えば、把持機構を備えた塔婆保持部（８）を配設している。別言すると、少なくとも塔婆保持部（８）の外周側は柱体（６）のそれより外側へ張り出した状態となるように形成している。
【００１１】
塔婆保持部（８）は、上下方向及び（又は）外周面側に開放した保持口（８１）として形成すると共に、該保持口（８１）内に配置した塔婆（Ｔ）の下端部を受ける受け部（３１）を、回転基台（３）の対応する位置に形成している。この対応する位置としては、例えば、塔婆（Ｔ）を垂下状に保持した場合にその下端部が対応する位置である。
【００１２】
なお、この受け部（３１）は、塔婆（Ｔ）の下端部が挿入されて嵌合する凹部状である場合に限らず、この下端部を両側から挟む挟持手段や、下端部が振れることなく定位置に留め置くことができる構成を意味する広く捉えた概念である。また、上記の受け部（３１）は必須の要件ではなく、保持口（８１）内に配置した把持機構のみで十分に塔婆（Ｔ）を保持できる場合は、受け部（３１）を不要としても良い。
【００１３】
この構成により、１又は複数の塔婆（Ｔ）は、保持口（８１）内に立設状に保持されて回転基台（３）及び塔婆保持体（７）と一体となって回転することとなる。このとき塔婆（Ｔ）は、下端部が回転基台（３）の上面から受け部（３１）に嵌合して支持され、回転時のずれや捻れが防止されて安定した立設状態が確保される。
【００１４】
次に、台座（２）と回転基台（３）との回転摺動面間には、設定した回転角度毎に一旦停止するクリック機構（５）を配設している。このクリック機構（５）による回転は一旦停止する位置で、いずれかの塔婆（Ｔ）が真正面となるように同期するように設定している。
【００１５】
さらに、柱体（６）、及び塔婆保持体（７）を、それぞれ五輪塔の各構成要素の一部と同形態とし、仏塔としての趣を付加した構成としている。例えば、柱体（６）の部分を、五輪塔の地輪に、塔婆保持体（７）の部分を火輪に相当させた形状としている。
【発明の効果】
【００１６】
本願発明の回転式塔婆立ては、上述のように構成をしているため、以下の効果を発揮する。
【００１７】
複数の塔婆を円周上にかつ等間隔で立設状に配設し、さらには回転により序列なく均一に提示するようにしているため、スリット状の石枠内に無造作に立て掛けて置くだけの従来の様式とは異なり、多数の塔婆を整然と配置かつ提示することができ、墓石周辺の見栄えが良くなる効果を奏する。
【００１８】
また、回転時においてはクリック機構を付加して、塔婆の正面位置に同期させた回転角で一旦停止をするように構成しているため、塔婆の記載事項の確認が容易になる効果も有している。
【００１９】
さらに、回転式塔婆立ての柱体及び塔婆保持体を五輪塔と略同形とした石材構造物であるため、墓地の構成品として違和感なく適合するばかりでなく、美観を良くして墓地の荘厳さを増加させている。
【発明を実施するための最良の形態】
【００２０】
以下に、本願発明にかかる回転式塔婆立て（以下、「塔婆立て」と略称する。）の最良の実施形態について、図面に基づき詳細に説明する。
【実施例１】
【００２１】
図１は実施例１の塔婆立てを示す一部切欠き斜視図であり、図２は実施例１の塔婆立てのクリック機構を拡大して示す一部切欠き斜視図であり、図３は実施例１の塔婆立て塔婆保持部を拡大して示す斜視図であり、図４は実施例１の塔婆立ての縦断面図である。
【００２２】
図示した台座２は、所定高さの中実円柱体状を成し、墓地内の所定の接地面に固定配設して塔婆立て１の全体のいわば基礎部分を為すものである。なお、本実施例では、例えば、外観を円柱状に形成しているが、これに限定されるものでなく、四角柱、六角柱、又は八角柱など適宜の角柱体としてもよい。
【００２３】
台座２の上面には、その中心の垂直軸上に沿って肉厚円盤状の回転基台３を軸回転自在に載置している。
この回転基台３の外周側付近には、中心の周りの円周等分割（本実施例では８等分）の位置に上下貫通孔からなる８個の受け部３１を形成している。この受け部３１の形成位置は、後述する塔婆保持体７の塔婆保持部８と略垂直方向で対応するように設定され、その形状は、図１に示すように、塔婆保持部８で立設状に保持した塔婆Ｔの下端部（通常、鋭角状）を、ある程度の遊びをもって嵌入し得る開孔状に形成している。本実施例では加工容易性から円形開口としている。これより、立設状に保持された塔婆Ｔの安定化が図られている。
【００２４】
台座２と回転基台３の軸回転は、回転機構４によって行っている。この回転機構４は、台座２の略中心軸に沿って回転軸４１を垂直に貫通配置し、この回転軸４１の下部側を、上下に配設した２つのナット４２により台座２を挟持して固定している。そして、この回転軸４１は、回転基台３の挿通孔３２内に配置した軸受スリーブ４４とベアリング４３を介して回転基台３の円滑回転を確保すると共に、上方へ延出させている。延出させた回転軸４１は、回転基台３の上位に柱体６及び塔婆保持体７を積み上げて固定する時のガイドの役割をも担っている。なお、回転軸４１、ナット４２、ベアリング４３、及び軸受スリーブ４４は塔婆立て１が墓地に設置されるため、錆等を考慮した材質（例えば、ステンレス）を使用している。
【００２５】
台座２の上面と回転基台３の底面とが略接する摺動面間には、クリック機構５を配設している。このクリック機構５は、台座２と回転基台３との回転摺動において所定回転角度で一旦停止させて位置決め保持する機能を奏するものである。本実施例では、図２に示すように、台座２の上面に円周等分割の位置に複数個のプランジャ５１、５１、５１、・・を埋込状にして配置し、その先端部の球体の一部を台座２の上面から上方付勢力をもって露出させている。配置したプランジャ５１の球体の回転基台３に対応する環状の移動軌跡上には、プランジャ５１の等倍数の位置決め孔５２、５２、５２、・・を円周等分割位置に形成している。この位置決め孔５２は、前記球体の一部が埋没し得る深さで、かつその球体が手動回転力によって開口縁部を乗り越え可能となるようにテーパ状に拡径させて形成している。回転基台３の回転行程でこの球体の一部が位置決め孔５２に一旦嵌合することにより、位置決め保持と一時停止が行われ、さらなる回転力付加（手動）により球体の一部は開口縁部を乗り越えて次の位置決め孔５２に嵌合するまで回転することになる。この一旦停止と手動回転力付加とを繰り返すことにより、クリック感をもったクリック回転を実現している。
【００２６】
回転基台３の上面には回転基台３と同様に回転軸４１を貫通させた柱体６を載置固定している。この柱体６は五輪塔の地輪と水輪に相当するそれぞれの部位６１、６２から構成している。
【００２７】
地輪６１は、本実施例では円柱状に形成しているが角柱状に形成しても良い。また、地輪６１の下部側内部には貫通した回転軸４１を軸受けする回転機構４の２つのベアリング４３及び軸受スリーブ４４を配置している。
水輪６２は球体の上下部を若干面取りした形状に形成しており、地輪６１と同様に回転軸４１が水輪６２の同軸上を貫通している。
【００２８】
柱体６の軸上を貫通した回転軸４１上には、塔婆保持体７を載置固定している。この塔婆保持体７は、五輪塔における火輪に相当する部分である。塔婆保持体７（以下、「火輪」と称する。）の上面に露出させた場合の回転軸４１の上端部には、フック４５を螺合による取り付け自在に構成している。フック４５を取り付けない状態における火輪７の上面には、五輪塔における風輪７１と空輪７２を載置固定する。これらは五輪塔の構成部分として慣習的に決まった形状を為すものであり、側面視において台形の上部に半月及び宝珠を載置している。なお、本実施例では、火輪７と風輪７１及び空輪７２とを別体としているが、一体としても良い。
【００２９】
このように構成することにより、回転軸４１をガイドとして火輪７、風輪７１及び空輪７２の組み付け精度を向上させることができると共に、風輪７１、及び空輪７２を取り外して火輪７を上面に露出させた回転軸４１の先端部にフック４５を取り付け、これを介してクレーンやホイスト等で懸垂支持して塔婆立ての移動と組み付け作業を簡便に行えるようにしている。
【００３０】
略水平方向へ笠状に拡がった火輪７の外周部には、上述したように回転基台３の受け部３１と略垂直方向で対応する位置に８箇所の塔婆保持部８を配設している。この塔婆保持部８には、上下に断面略長孔形で貫通させ、かつ外周面側を切欠いて開口させて成る保持口８１を形成し、この保持口８１内の回転軸側の面に外周方向へ付勢力を作用させる付勢手段としての板バネ８２を取り付けている。これにより、保持口８１に上方より挿通するように、又は外周側開口より挿入された塔婆Ｔは、板バネ８２の付勢力により外周側開口の内縁部８１ａにより押し付けられて把持されることになる。別言すれば、保持口８１に配設する板バネ８２と内縁部８１ａとが、塔婆Ｔの把持機構を構成している。
【００３１】
上記のように把持された塔婆Ｔは、保持口８１の外周側が縦方向に切欠いてあるため、図３に示すように、塔婆正面に記載された戒名等は隠れずに表示されることになる。
【００３２】
なお、この板バネ８２は、付勢手段として機能し得るものであれば、図示する構造に限定するものでは無く、本実施例の片持ち状のほかに両翼状や円盤状（ダイヤフラム状）、又はコイルスプリングなど、弾性反発力を作用し得る既知の構成に置き換えても良い。
【００３３】
また、この保持口８１への塔婆Ｔの取り付けは、図４に示すように、保持口８１と複数枚の塔婆Ｔを重ねるようにして挿入してもよい。
【００３４】
塔婆Ｔの下端部は、回転基台３の受け部３１へ嵌合させることにより、回転や風による揺れを防止して塔婆Ｔの安定化が図られている。なお、この受け部３１は本発明において、必須のものではなく、保持口８１に配置した板バネ８２等の付勢力の設定如何によって十分な把持力を確保できる場合は、受け部３１を省略することも可能である。
【実施例２】
【００３５】
実施例１の塔婆立て１の外形は五輪塔の意匠を採用した石材構造物としているが、これに限定されるものではない。
【００３６】
すなわち、灯籠、墓誌、の意匠を採用しても良く、例えば、図５に示すように、外柵の擬宝珠付の小柱風に小型の塔婆立て９に構成しても良い。材質に関しても金属、樹脂、木材、陶器などから構成しても発明の目的を達成することができる。
【００３７】
図示した塔婆立て９においても、基本的な構成は台座９１、回転基台９２、柱体９３、塔婆保持部９５を配設した塔婆保持体９４とし、回転基台９２以上が台座９１に対して回転自在となっている。なお、この実施例２の塔婆立て９は、塔婆保持部９５を６箇所としているため、クリック機構のプランジャを３箇所、プランジャに対応する位置決め孔を６箇所としている。
【図面の簡単な説明】
【００３８】
【図１】実施例１の塔婆立てを示す一部切欠き斜視図である。
【図２】実施例１の塔婆立てのクリック機構を拡大して示す一部切欠き斜視図である。
【図３】実施例１の塔婆立て塔婆保持部を拡大して示す斜視図である。
【図４】実施例１の塔婆立ての縦断面図である。
【図５】実施例２の塔婆立てを示す斜視図である。
【図６】従来の塔婆立てを示す斜視図である。
【符号の説明】
【００３９】
１  塔婆立て
２  台座
３  回転基台
３１  受け部
３２  挿通孔
４  回転機構
４１  回転軸
４２  ナット
４３  ベアリング
４４  軸受スリーブ
４５  フック
５  クリック機構
５１  プランジャ
５２  位置決め孔
６  柱体
６１  地輪
６２  水輪
７  火輪（塔婆保持体）
７１  風輪
７２  空輪
８  塔婆保持部
８１  保持口
８１ａ  内縁部
８２  板バネ
９  塔婆立て（実施例２）
９１  台座
９２  回転基台
９３  柱体
９４  塔婆保持体
９５  塔婆保持部
Ｔ  塔婆
Ｓ  塔婆立て（従来例）
ｃ  柱体
ｆ  枠体
ｐ  塔婆押圧部
【図１】
2005220640.tif 000003
【図２】
2005220640.tif 000004
【図３】
2005220640.tif 000005
【図４】
2005220640.tif 000006
【図５】
2005220640.tif 000007
【図６】
2005220640.tif 000008